(57)【要約】【課題】外観が良好で清掃性にも優れたスライドバー装置を提供する。【解決手段】シャワーフック１８をスライドバー１２に沿って上下にスライド移動可能に保持するスライドバー装置１０において、雄側のヒンジ片側部材４２及び雌側のヒンジ片側部材４４の何れかの一方を、壁に締結具６６にて締結固定するとともに、他方をスライドバー１２の背面に取り付け、ヒンジ１４，１６にてスライドバー１２を壁に取付固定し、またスライドバー１２を回転させてヒンジ１４，１６の前側に持ち来して、スライドバー１２にて締結具６６による締結個所を背面側に隠蔽する。【選択図】        図６
2008190122.tif 000002
【特許請求の範囲】
【請求項１】
シャワーヘッドを掛止するシャワーフックをスライドバーに沿って上下にスライド移動可能に保持するスライドバー装置であって
ヒンジを構成する一対のヒンジ片側部材のうちの縦のヒンジ軸を有する雄側のヒンジ片側部材、及び該ヒンジ軸に回転可能に嵌合する嵌合孔を有する雌側のヒンジ片側部材の何れかの一方を、壁等縦の取付基体に締結具にて締結固定するとともに、他方を前記スライドバーの該取付基体側の背面に取り付け、該一対のヒンジ片側部材の結合により該スライドバーを該取付基体に取付固定してあり、該スライドバーが前記一方のヒンジ片側部材の前記締結具による締結個所を背面側に隠蔽する隠蔽部材を兼ねて構成してあることを特徴とするスライドバー装置。
【請求項２】
請求項１において、前記スライドバーが、前記一方のヒンジ片側部材と前記他方のヒンジ片側部材とを含む前記ヒンジの全体を背面側に隠蔽する隠蔽部材を兼ねて構成してあることを特徴とするスライドバー装置。
【請求項３】
請求項２において、前記スライドバーが該スライドバーの上端側に配置された上位置のヒンジと下端側に配置された下位置のヒンジとによって前記取付基体に取付固定してあり、
該スライドバーは、該取付基体に対してそれらヒンジの前側に位置した状態で該ヒンジよりも該取付基体に向って左右方向の幅が大とされているとともに、上端が前記上位置のヒンジと同等以上の高さ、下端が前記下位置のヒンジと同等以下の低さとなしてあることを特徴とするスライドバー装置。
【請求項４】
請求項３において、前記スライドバーは、前記左右方向の幅が前後方向の幅よりも大きい扁平形状となしてあることを特徴とするスライドバー装置。
【請求項５】
請求項１において、前記スライドバーは、下端から上端に到るまで前記取付基体に向って前記左右方向の幅が一様な幅で構成してあることを特徴とするスライドバー装置。
【請求項６】
請求項１のスライドバー装置の取付施工方法であって、
前記スライドバーを前記ヒンジ軸周りに前記取付基体側に回転させて、前記一方のヒンジ片側部材の前記取付基体とは反対側の前面を露出させた状態とし、該一方のヒンジ片側部材を該取付基体に向って正面から前記締結具にて該取付基体に締結固定した後に、該スライドバーを回転させて前記ヒンジの前側に持ち来し、該スライドバーにて前記締結具による前記一方のヒンジ片側部材の前記取付基体への締結固定個所を背面側に隠蔽した状態とすることを特徴とするスライドバー装置の取付施工方法。
【発明の詳細な説明】
【技術分野】
【０００１】
この発明は、シャワーヘッドを掛止するシャワーフックをスライドバーに沿って上下にスライド移動可能に保持するスライドバー装置及びその取付施工方法に関する。
【背景技術】
【０００２】
従来、シャワーヘッドを掛止するシャワーフックを、スライドバーに沿って上下にスライド移動可能に保持するスライドバー装置が浴室のシャワー装置等において広く用いられている。
【０００３】
図７はこのスライドバー装置の従来の一例を示している。
図において２００はスライドバー装置で、２０２はその主体を成すスライドバーである。ここでスライドバー２０２は上下方向に配置されていて、壁等の取付基体に取り付けられている。
２０４は、このスライドバー２０２に沿って上下にスライド移動可能に保持されるシャワーフックで、嵌合孔２０５においてスライドバー２０２に摺動可能に嵌合されている。
シャワーフック２０４は、図中左端部にフック部２０６を有しており、そのフック部２０６の掛止孔２０８においてシャワーヘッドを脱着可能に掛止するようになっている。
【０００４】
このシャワーフック２０４の内部には、これをスライドバー２０２の所定位置に固定しロックするロック機構が設けられており、そして図中右端部に、そのロック機構を働かせてシャワーフック２０４をスライドバー２０２に固定し、或いはまたそのロック機構によるロックを解除して、シャワーフック２０４を移動可能とする回転ハンドル式の操作部２１０が設けられている。
【０００５】
２１２はスライドバー２０２の上端を壁等の取付基体に固定する上固定部，２１４はスライドバー２０２の下端を取付基体に固定する下固定部で、スライドバー２０２はこれら上固定部２１２，下固定部２１４によって取付基体に取付固定される。
【０００６】
通常、これら上固定部２１２，下固定部２１４は、上固定部材，下固定部材をそれぞれ壁に向って正面からビス等の締結具にて締結固定するとともに、それら上固定部材，下固定部材に対しスライドバー２００の上端，下端をそれぞれ結合し、そして各固定部材に対する締結具による締結個所を、固定部材及びスライドバーとの結合部とともに、前端の化粧キャップ２１６を含むカバー部材２１８にて隠蔽した状態とする。
以上のようにスライドバーの上端と下端とを固定部にて壁に固定し、そしてその固定部分をカバー部材で隠蔽して成るスライドバー装置については下記特許文献１にも開示されている。
【０００７】
このように従来のスライドバー装置において、壁等に対し正面から固定部材をビス等締結具にて締結固定し、スライドバーをこの固定部材を介して壁に取り付けようとすると、固定部材をスライドバーの上端と下端とに位置させて、スライドバーの上端と下端とを、かかる固定部材にて壁に固定せざるを得ず、この場合固定部材の壁への締結具による締結個所を隠蔽するためのカバー部材が必要となり、且つそのカバー部材がスライドバーの上端と下端とで前方に突出した状態となってしまう。或いはスライドバーとカバー部材との継目が、スライドバーの上端と下端とで正面に露出した状態となってしまう。
【０００８】
この場合、それらカバー部材や継目が形状的に不連続な個所となって煩雑な感じを与え、美観を損なってしまう。
またその継目にはごみ等が入り込み易く、汚れの原因となるとともに、その継目部分は清掃性が悪く、清掃も難しいといった問題がある。
更にカバー部材がスライドバーとは別部品として必要で、このことがスライドバー装置のコストを増大させる要因となっていた。
【０００９】
【特許文献１】特開平９−４１４４２号公報
【発明の開示】
【発明が解決しようとする課題】
【００１０】
本発明は以上のような事情を背景とし、外観が良好で清掃性にも優れたスライドバー装置及びその取付施工方法を提供することを目的として成されたものである。
【課題を解決するための手段】
【００１１】
而して請求項１はスライドバー装置に関するもので、シャワーヘッドを掛止するシャワーフックをスライドバーに沿って上下にスライド移動可能に保持するスライドバー装置であって、ヒンジを構成する一対のヒンジ片側部材のうちの縦のヒンジ軸を有する雄側のヒンジ片側部材、及び該ヒンジ軸に回転可能に嵌合する嵌合孔を有する雌側のヒンジ片側部材の何れかの一方を、壁等縦の取付基体に締結具にて締結固定するとともに、他方を前記スライドバーの該取付基体側の背面に取り付け、該一対のヒンジ片側部材の結合により該スライドバーを該取付基体に取付固定してあり、該スライドバーが前記一方のヒンジ片側部材の前記締結具による締結個所を背面側に隠蔽する隠蔽部材を兼ねて構成してあることを特徴とする。
【００１２】
請求項２のものは、請求項１において、前記スライドバーが、前記一方のヒンジ片側部材と前記他方のヒンジ片側部材とを含む前記ヒンジの全体を背面側に隠蔽する隠蔽部材を兼ねて構成してあることを特徴とする。
【００１３】
請求項３のものは、請求項２において、前記スライドバーが該スライドバーの上端側に配置された上位置のヒンジと下端側に配置された下位置のヒンジとによって前記取付基体に取付固定してあり、該スライドバーは、該取付基体に対してそれらヒンジの前側に位置した状態で該ヒンジよりも該取付基体に向って左右方向の幅が大とされているとともに、上端が前記上位置のヒンジと同等以上の高さ、下端が前記下位置のヒンジと同等以下の低さとなしてあることを特徴とする。
【００１４】
請求項４のものは、請求項３において、前記スライドバーは、前記左右方向の幅が前後方向の幅よりも大きい扁平形状となしてあることを特徴とする。
【００１５】
請求項５のものは、請求項１において、前記スライドバーは、下端から上端に到るまで前記取付基体に向って前記左右方向の幅が一様な幅で構成してあることを特徴とする。
【００１６】
請求項６は請求項１のスライドバー装置の取付施工方法であって、前記スライドバーを前記ヒンジ軸周りに前記取付基体側に回転させて、前記一方のヒンジ片側部材の前記取付基体とは反対側の前面を露出させた状態とし、該一方のヒンジ片側部材を該取付基体に向って正面から前記締結具にて該取付基体に締結固定した後に、該スライドバーを回転させて前記ヒンジの前側に持ち来し、該スライドバーにて前記締結具による前記一方のヒンジ片側部材の前記取付基体への締結固定個所を背面側に隠蔽した状態とすることを特徴とする。
【発明の作用・効果】
【００１７】
以上のように本発明は、雄側のヒンジ片側部材，雌側のヒンジ片側部材のうちの何れか一方を、壁等の取付基体に締結具にて締結固定するとともに、他方をスライドバーの背面に取り付け、それら一対のヒンジ片側部材の結合により、スライドバーを取付基体に取付固定するとともに、スライドバーを、一方のヒンジ片側部材の締結具による締結場所を背面側に隠蔽する隠蔽部材を兼ねて構成したもので、本発明によれば、スライドバーを取付基体の側に回転させ、壁に固定される側の一方のヒンジ片側部材の前面を露出させた状態で、取付基体の正面からこれをビス等の締結具にて容易に取付基体に締結固定することができ、そしてその後においてスライドバーをヒンジの前側に位置させることで、かかるスライドバーを隠蔽部材として締結具による締結個所を背面側に隠蔽状態とすることができる。
【００１８】
かかる本発明では、スライドバーが締結具による締結個所を隠蔽する隠蔽部材を兼ねているため、少なくとも締結具による締結個所を隠蔽するためのカバー部材を省略することが可能であり、これによりスライドバー装置を構成する部品点数を削減し得て所要コストを安価となすことができる。
【００１９】
また外観上で最も重要なスライドバーの正面の形状ないし外観、更には側面の形状ないし外観を、スライドバーの下端から上端に到るまで継目の無い形状，外観となし得るため、従来のスライドバー装置のようにカバー部材がスライドバーよりも前方に突出したり、或いはカバー部材とスライドバーとの継目が前面に露出したりする問題を解決し得、スライドバー装置の美観を良好となすことができる。
またその継目にごみ等が入り込んで汚れの原因となったり、その継目が清掃困難な個所となって清掃が難しいといった従来の問題を併せて解決することができる。
尚ヒンジの前側に位置させたスライドバーは、その状態で回転不能に固定状態とすることもできるし、或いはまた回転可能なままとなしておくこともできる。
【００２０】
本発明では、上記スライドバーを、上記一方のヒンジ片側部材と他方のヒンジ片側部材とを含むヒンジ全体を背面側に隠蔽する隠蔽部材を兼ねて構成しておくことができる（請求項２）。
この場合、締結具による締結個所のみならずヒンジ全体をスライドバーにて背面側に隠蔽できるため、スライドバー装置の美観をより一層良好となすことができる。
【００２１】
この場合においてスライドバーは、スライドバーの上端側の上位置のヒンジ（以下上ヒンジ）と下端側の下位置のヒンジ（以下下ヒンジ）とによって取付基体に取付固定し、そしてそのスライドバーをヒンジよりも左右方向の幅を大とするとともに、上端を上ヒンジと同等以上の高さ、下端を下ヒンジと同等以下の低さと成しておくことができる（請求項３）。
ここでスライドバーは、上端が上ヒンジよりも上方に突出し、また下端が下ヒンジよりも下方に突出する形状で構成しておくことがより望ましい。
このようにすれば、スライドバーに対する見た目の連続性，一様性が際立ち、スライドバー装置の美観をより一層良好となすことができる。
【００２２】
更にこの場合において、スライドバーは左右方向の幅が前後方向の幅よりも大きい扁平形状となしておくことができる（請求項４）。
このようにすることで、スライドバーの左右方向の幅を大となしつつ、スライドバーの形状が全体的に大形状となって大型化するのを回避することができる。
【００２３】
本発明では、スライドバーを下端から上端に到るまで左右方向幅を一様な幅で構成しておくことができる（請求項５）。
このようにすれば、スライドバーの連続性，一様性を更に一段と高めることができ、従ってスライドバー装置の外観，美観をより一層高めることができる。
【００２４】
次に請求項６は、請求項１のスライドバー装置の取付施工方法であって、この取付施工方法では、スライドバーをヒンジ軸周りに取付基体側に回転させて、一方のヒンジ片側部材の前面を露出させ、その状態で一方のヒンジ片側部材を取付基体に向って正面から締結具にて取付基体に締結固定し、その後にスライドバーを回転させてヒンジ軸の前側に持ち来し、スライドバーにて締結具による締結固定個所を背面側に隠蔽状態とするもので、この請求項６の取付施工方法によれば、請求項１のスライドバー装置を極めて簡単に取付施工することができる。
【発明を実施するための最良の形態】
【００２５】
次に本発明の実施形態を図面に基づいて詳しく説明する。
図１において、１０はスライドバー装置、１２はその主体をなす、上下方向に長く延びたスライドバーで、その上端部と下端部とが、背面に配置された上固定部材としての上ヒンジ１４，下固定部材としての下ヒンジ１６にて取付基体としての壁Ｗ（図５参照）に取付固定されている。
１８はこのスライドバー１２に沿って上下に移動可能に保持されたシャワーフックで、このシャワーフック１８は基端部（図中左端部）に嵌合部２０を備えており、その嵌合部２０の嵌合孔２２においてスライドバー１２に上下にスライド移動可能に嵌合している。
【００２６】
シャワーフック１８は、先端部（図中右端部）にフック部２４を備えており、そのフック部２４の掛止孔２６にシャワーヘッドが脱着可能に掛止されるようになっている。
尚、シャワーフック１８は基端部から先端部に向って斜め上向きに僅かに傾斜した形状をなしている。
【００２７】
シャワーフック１８の内部には、シャワーフック１８をスライドバー１２に固定しロックするロック機構と、ロック解除機構とが設けられており、そして図２に示しているようにシャワーフック１８の下面には、ロック解除操作を行うための押ボタン式のロック解除操作部２８が、下向きに突出する状態で設けられている。
この実施形態では、このロック解除操作部２８を上向きに押し上げることによって、ロック機構によるロックが解除される。
【００２８】
本実施形態において、スライドバー１２は壁Ｗに向って、即ち正面視における左右方向の幅が、前後方向幅よりも大きい横断面形状が四角形状の扁平形状をなしている。
詳しくはこのスライドバー１２は、下端から上端に到るまで左右幅及び前後方向幅ともに一様な、横断面四角形状の上下の直状形状をなしている。
【００２９】
図４に示しているようにスライドバー１２は、スライドバー本体１２Ａと、その上，下両端の開口に嵌め込まれて開口３０を閉鎖する上，下一対のキャップ３２とを有している（スライドバー本体１２Ａは、図５にも示しているように内部中空のパイプにて構成されている）。
上端のキャップ３２は、スライドバー本体１２Ａの背面側で下向きに垂下する突出片３４を備えており、その突出片３４に雌ねじ孔３６が形成されている。
【００３０】
更にこの雌ねじ孔３６周りに四角形状をなす嵌合凹部３８が形成されている。
ここで嵌合凹部３８及び雌ねじ孔３６は、スライドバー本体１２Ａの背面に形成された四角形状の貫通孔４０に対応した位置に設けられている。
【００３１】
上記上ヒンジ１４は、雄側のヒンジ片側部材４２と、雌側のヒンジ片側部材４４とに分割されていて、それらが回転可能に結合されている。
そして雄側のヒンジ片側部材４２が、スライドバー１２の背面に固定され、また雌側のヒンジ片側部材４４が壁Ｗ（図５参照）に直接固定されている。
【００３２】
雄側のヒンジ片側部材４２は、垂直下向きに突出するヒンジ軸４６を備えている。
この雄側のヒンジ片側部材４２は、全体として平面形状が円形状をなしており、そして図中右側即ちスライドバー１２の背面側に、スライドバー１２の背面に当接する四角形状の当接部４８が突出状態で設けられている。
【００３３】
この当接部４８の中心部からは、雄側のヒンジ片側部材４２をスライドバー１２に締結固定するためのボルト５０が突出しており、更にそのボルト５０周りに、上記嵌合凹部３８に対応した四角形状の嵌合突部５２が図中右向きに、即ちスライドバー１２の背面側に向って突出する状態で設けられている。
尚ボルト５０は、その頭部が雄側のヒンジ片側部材４２の内部に収容されている。
このヒンジ片側部材４２には、このボルト５０を回転操作するための開口が図中左側の位置に設けられている。
【００３４】
この雄側のヒンジ片側部材４２は、次のようにしてスライドバー１２に締結固定される。
即ち、スライドバー１２Ａにキャップ３２を装着した状態で、雄側のヒンジ片側部材４２の嵌合突部５２をスライドバー１２の背面側の開口４０に嵌め合わせるとともに、更にキャップ３２の嵌合凹部３８に嵌合させ、その状態でボルト５０をキャップ３２の雌ねじ孔３６にねじ込んで行く。
【００３５】
その結果、雄側のヒンジ片側部材４２がキャップ３２の突出片３４とともにスライドバー１２の背面部を内外両側から挟み付ける状態に、スライドバー１２に締結固定される。
このとき、雄側のヒンジ片側部材４２は嵌合突部５２と嵌合凹部３８との嵌合に基づいて、スライドバー１２に対し回転防止された状態でヒンジ軸４６が正しく垂直下向きに突出する状態にスライドバー１２に締結固定される。
【００３６】
上記雌側のヒンジ片側部材４４は、壁Ｗに対する正面視において左右方向幅が雄側のヒンジ片側部材４２と同幅とされており、またスライドバー１２側の前部が、平面形状において半円形状とされている。
そしてその前部の上部が、雄側のヒンジ片側部材４２に対応した形状で切り欠かかれている。
図中５４はその切欠部を、また５６は切欠面である円弧面を表している。
【００３７】
雌側のヒンジ片側部材４４には、その切欠部５４の下側に嵌合孔５８が垂直向きに設けられており、そこに雄側のヒンジ片側部材４２のヒンジ軸４６が、図中下向きに回転可能に嵌合されている。
即ちスライドバー１２がこのヒンジ軸４６周りに回転可能とされている。
尚ヒンジ軸４６には、弾性シール部材としてのＯリング６０が装着されており、図５に示しているようにこのＯリング６０によってヒンジ軸４６と嵌合孔５８との間が水密にシールされている。
【００３８】
図５に示すように、雌側のヒンジ片側部材４４の下部には、前面（図中右面）から壁Ｗ側の奥部に向って凹所６２が設けられており、更にこの凹所６２に続いて固定孔６４が設けられている。
そしてこの固定孔６４を挿通してビス（締結具）６６が壁Ｗにねじ込まれ、雌側のヒンジ片側部材４４が壁Ｗに対しビス６６にて締結固定されている。
尚、図中７０は凹所６２の前面の開口を表しており、７２はその開口７０に嵌め込まれたキャップを表している。
また６８は凹所６２の図中左側の底面に着座させられたビス６６の頭部を表している。
【００３９】
上記下ヒンジ１６もまた、雄側のヒンジ片側部材７４と雌側のヒンジ片側部材７６とに分割されていて、それらが回転可能に結合されている。
この下ヒンジ１６は、雄側のヒンジ片側部材７４，雌側のヒンジ片側部材７６ともに、上ヒンジ１４における雄側のヒンジ片側部材４２，雌側のヒンジ片側部材４４と上下方向に対称形状をなしている。また下端のキャップ３２もまた、上端のキャップ３２と上下対称形状をなしている。
従って、ここではそれらの更なる詳しい説明は省略する。
【００４０】
本実施形態では図１に示す状態、即ちスライドバー１２を上ヒンジ１４，下ヒンジ１６の前側に位置させ、壁Ｗの取付面に対してこれを平行に配向させた状態で、スライドバー１２の左右方向幅（壁Ｗに対する正面視における左右方向幅）が上ヒンジ１４，下ヒンジ１６よりも幅広をなしており、また上端及び下端が上ヒンジ１４，下ヒンジ１６よりもそれぞれ上方，下方に突出した状態となる。スライドバー１２の形状，大きさ及び上ヒンジ１４，下ヒンジ１６の取付位置がそのように定められている。
従って図３に示しているように、その状態でスライドバー１２は上ヒンジ１４，下ヒンジ１６をその背面側に隠蔽した状態となる。
【００４１】
図６は、本実施形態のスライドバー装置の壁Ｗへの取付施工の方法を示している。
ここでは、上ヒンジ１４における雄側のヒンジ片側部材４２と雌側のヒンジ片側部材４４、及び下ヒンジ１６における雄側のヒンジ片側部材７４と雌側のヒンジ片側部材７６を、それぞれヒンジ軸４６と嵌合孔５８とで回転可能に嵌合した状態、即ち結合しておき、そしてスライドバー１２を壁Ｗ側に回転させて、上ヒンジ１４の雌側のヒンジ片側部材４４、及び下ヒンジ１６の雌側のヒンジ片側部材７６の、それぞれの前面を前方に向って露出させた状態としておく。
その状態で一対の雌側のヒンジ片側部材４４，７６を壁Ｗに対し、正面からビス６６の壁Ｗへのねじ込みによりかかる壁Ｗに締結固定する。
【００４２】
その後開口７０にキャップ７２を嵌めた後に、スライドバー１２を回転させて、これを上ヒンジ１４及び下ヒンジ１６の前側に持ち来す。即ちスライドバー１２を壁Ｗの取付面と平行に配向させる（図１，３に示す状態）。
ここにおいてスライドバー装置１０の壁Ｗへの取付施工が完了する。
【００４３】
以上のように本実施形態は、雌側のヒンジ片側部材４４，７６を壁Ｗにビス（締結具）６６にて締結固定するとともに、雄側のヒンジ片側部材４２，７４をスライドバー１２の背面に取り付け、それら一対のヒンジ片側部材の結合により、スライドバー１２を壁Ｗに取付固定するとともに、スライドバー１２を、雌側のヒンジ片側部材４４，７６のビス６６による締結場所を背面側に隠蔽する隠蔽部材を兼ねて構成したもので、本実施形態によれば、スライドバー１２を壁Ｗの側に回転させ、雌側のヒンジ片側部材４４，７６の前面を露出させた状態で、壁Ｗの正面からこれをビス６６にて容易に壁Ｗに締結固定することができ、そしてその後においてスライドバー１２をヒンジ１４，１６の前側に位置させることで、かかるスライドバー１２を隠蔽部材としてビス６６による締結個所を背面側に隠蔽状態とすることができる。
【００４４】
かかる本実施形態では、スライドバー１２がビス６６による締結個所を隠蔽する隠蔽部材を兼ねているため、ビスによる締結個所を隠蔽するためのカバー部材を省略することが可能であり、これによりスライドバー装置を構成する部品点数を削減し得て所要コストを安価となすことができる。
【００４５】
またスライドバー１２の正面及び左，右の側面の形状，外観が下端から上端に到るまで継目の無い形状，外観となるため、従来のスライドバー装置のように、カバー部材がスライドバーよりも前方に突出したり、或いはカバー部材とスライドバーとの継目が前面に露出したりする問題を解決し得、スライドバー装置１０の美観を良好となすことができる。
またその継目にごみ等が入り込んで汚れの原因となったり、その継目が清掃困難な個所となって、清掃が難しいといった従来の問題を併せて解決することができる。
【００４６】
本実施形態ではまた、上記スライドバー１２を雄側のヒンジ片側部材４２，７４と雌側のヒンジ片側部材４４，７６とを含む上，下の各ヒンジ１４，１６の全体を背面側に隠蔽する隠蔽部材を兼ねて構成しているため、ビス６６による締結個所のみならず、ヒンジ全体をスライドバー１２の背面側に隠蔽でき、スライドバー装置１０の美観をより一層良好となすことができる。
【００４７】
またスライドバー１２は、スライドバー１２の上端側の上ヒンジ１４と、下端側の下ヒンジ１６とによって壁Ｗに取付固定し、そしてそのスライドバー１２を、上ヒンジ１４，下ヒンジ１６よりも左右方向の幅を大とするとともに、上端を上ヒンジ１４よりも上方に突出させ、下端を下ヒンジ１６よりも下方に突出させた形状で構成しているため、スライドバー１２に対する見た目の連続性，一様性が際立ち、スライドバー装置１０の美観をより一層良好となすことができる。
【００４８】
更にスライドバー１２は左右方向の幅が前後方向の幅よりも大きい扁平形状となしてあるため、スライドバー１２の左右方向の幅を大となしつつ、スライドバーの形状が全体的に大形状となって大型化するのを回避することができる。
【００４９】
また本実施形態ではスライドバー１２を下端から上端に到るまで左右方向幅を一様な幅で構成しているため、スライドバー１２の連続性，一様性を更に一段と高めることができ、従ってスライドバー装置１０の外観，美観をより一層高めることができる。
【００５０】
更に本実施形態の取付施工方法によれば、スライドバー装置１０を極めて簡単に取付施工することができる。
【００５１】
以上本発明の実施形態を詳述したがこれはあくまで一例示である。
例えば上記実施形態と異なって壁Ｗに取付固定されるヒンジ片側部材を雄側のヒンジ片側部材とし、スライドバーに固定される側のヒンジ片側部材を雌側のヒンジ片側部材となすことも勿論可能であるし、また本発明ではスライドバー１２をヒンジ１４，１６の前側に持ち来した後において、即ち施工完了状態でスライドバー１２を回転不能に固定状態となしておくこともできるし、或いはまたその後の使用時においても、スライドバー１２を回転可能なままの状態としておくことも可能である。
【００５２】
更に本発明ではスライドバー１２の上端，下端をそれぞれ上ヒンジ１４，下ヒンジ１６の上端，下端と同じ高さ，低さとなしておくことも可能である等、本発明はその趣旨を逸脱しない範囲において適宜変更を加えた形態，態様で構成，実施可能である。
【図面の簡単な説明】
【００５３】
【図１】本発明の一実施形態のスライドバー装置を示す斜視図である。
【図２】同実施形態におけるシャワーフックとその周辺部の斜視図である。
【図３】同実施形態のスライドバー装置の正面図である。
【図４】同実施形態の要部を各部材に分解して示す斜視図である。
【図５】同実施形態の要部を取付状態で示す断面図である。
【図６】本発明の一実施形態のスライドバー装置の取付施工方法の説明図である。
【図７】従来のスライドバー装置の一例を示す図である。
【符号の説明】
【００５４】
１０  スライドバー装置
１２  スライドバー
１４  上ヒンジ
１６  下ヒンジ
１８  シャワーフック
４２，７４  雄側のヒンジ片側部材
４４，７６  雌側のヒンジ片側部材
４６  ヒンジ軸
５８  嵌合孔
６６  ビス（締結具）
Ｗ  壁（取付基体）
【図１】
2008190122.tif 000003
【図２】
2008190122.tif 000004
【図３】
2008190122.tif 000005
【図４】
2008190122.tif 000006
【図５】
2008190122.tif 000007
【図６】
2008190122.tif 000008
【図７】
2008190122.tif 000009